(57)【要約】【課題】ローダ上の光ディスクをチャッキングするために、トラバースホルダーの枢着部を中心に回動させる際の上動動作をスムーズにすると共に振動を発生させる光ディスクを再生させても、再生可能な光ディスク再生装置を得る。【解決手段】トラバースホルダー３の後部に設けた枢着部２の軸９或は軸受８をトラバースホルダー３とメカベース１間に介在させた偏倚手段２３に依って押圧させて、トラバースホルダー３の上動（回動）をスムーズにを行う。【選択図】　　　　図１
2004118979.tif 000002
【特許請求の範囲】
【請求項１】
光ディスクを再生駆動する駆動部を有するトラバースメカ部を載置したトラバースホルダーと、
上記トラバースホルダーの一端が枢着部に回動自在に遊嵌されたメカベースと、
上記トラバースホルダーを上記枢着部を基に回動させるために該トラバースホルダーの前方に配設したトラバースホルダー駆動手段と、
光ディスクを載置させ、上記トラバースメカ部上に移動させるローダと、
上記トラバースホルダーと上記メカベースの上記枢着部の少なくとも一方の遊嵌された上記枢着部を一方向に偏倚する偏倚手段とを具備して成ることを特徴とする光ディスク再生装置
【請求項２】
請求項１記載の光ディスク再生装置において、前記偏倚手段は、前記メカベースと前記トラーバースホルダー間に該トラバースホルダーの前記枢着部を構成する軸又は軸受を一方向に押圧する弾性部材であることを特徴とする光ディスク再生装置
【請求項３】
光ディスクを再生駆動する駆動部を有するトラバースメカ部を載置したトラバースホルダーと、
上記トラバースホルダーの一端が枢着部に回動自在に嵌着されたメカベースと、
上記トラバースホルダーを上記枢着部を基に回動させるために該トラバースホルダーの前方に配置したトラバースホルダー駆動手段と、
光ディスクを載置させ上記トラバースメカ部上に移動自在としたローダとを備え、
上記ローダを介して、上記光ディスクを上記トラバースメカ部上に移動させ、上記トラバースホルダー駆動手段により上記トラバースホルダーを上記枢着部を中心に上動させて上記光ディスクの再生時のみ該枢着部を構成する軸と軸受間に隙間を生じない構成としたことを特徴とする光ディスク再生装置
【請求項４】
請求項３記載の光ディスク再生装置において、前記枢着部を構成する前記トラバースホルダー或は前記メカベースに配設する前記軸を断面が楕円又は長方形状に成したことを特徴とする光ディスク再生装置
【発明の詳細な説明】
【０００１】
【発明の属する技術分野】
本発明はＣＤ（コンパクトディスク）或はＭＤ（ミニディスク）等の光ディスクを再生する光ディスク再生装置に係わり、特にトラバースホルダーの改良に関する。
【０００２】
【従来の技術】
従来の光ディスク再生装置として、光ディスクを載置したローディングトレイ（以下ローダと記す）を光ディスク再生装置を構成する筐体の本体内に移動させ、本体内に設けたディスクホルダをターンテーブルにクランプして、光ディスクを再生する様に成したディスクローディング機構を有する光ディスク再生装置が知られている（例えば、特許文献１参照。）。
【０００３】
上述の様なディスクローディング機構を有する光ディスク再生装置は図９（Ａ）（Ｂ）に示す様に光ディスク再生装置内に設けられたメカベース１の後方に配した枢着部２にトラバースホルダー３を回動自在に枢着する。
【０００４】
トラバースホルダー３には、ローダ５上に載置され、光ディスク装置内に移送された光ディスク４を再生駆動するためにのターンテーブル６や図示しないが光ピックアップ等を配設したトラバースメカ部７が設けられている。
【０００５】
枢着部２はメカベース１側に設けられた軸受８に対し、トラバースホルダー３側に設けた軸９をメカベース１に対して回動自在に枢着している。
【０００６】
【特許文献１】
特開平６−２５１４８１号公報（第３乃至４頁、第１図）
【０００７】
【発明が解決しようとする課題】
上述の光ディスク再生装置に於ける、トラバースホルダー３の軸９とメカベース１の軸受８との嵌合は温度による軸９の直径の膨張を考慮して、所定の隙間を保っておく必要があった。
【０００８】
上述の理由に依って、トラバースホルダー３自体が軸受８と軸９間の隙間の範囲内でガタがつく構造と成っている。従って、偏芯している光ディスク４をトラバースメカ部７に配したターンテーブル６上に載置し、再生状態とした場合、トラバースメカ部７と一体化されているトラバースホルダー３はガタの範囲内で左右方向に振動を発生するために、トラバースメカ部７に配設した光ピックアップ（図示せず）に振動が伝達し、光ディスク４に記録されているデータの読み取りが不能と成る。また、この振動を防ぐには軸９と軸受８間の嵌合の精度を上げればよいが、トラバースホルダー３を枢着部２を介して回動させることを考慮すると、軸９と軸受８間には所定の隙間を必要とし、振動を発生する光ディスクを回転させた場合、所望の再生信号を得ることが出来ないことになる。
【０００９】
本発明は叙上の課題を解消するために成されたもので、本発明が解決しようとする課題は、振動を発生する光ディスクの再生時にトラバースホルダーの振動を防止可能な光ディスク再生装置を提供することを目的とする。
【００１０】
【課題を解決するための手段】
本願の請求項１記載の発明は、光ディスク再生装置において、光ディスクを再生駆動する駆動部を有するトラバースメカ部を載置したトラバースホルダーと、上記トラバースホルダーの一端が枢着部に回動自在に遊嵌されたメカベースと、上記トラバースホルダーを上記枢着部を基に回動させるために該トラバースホルダーの前方に配設したトラバースホルダー駆動手段と、光ディスクを載置させ、上記トラバースメカ部上に移動させるローダと、上記トラバースホルダーと上記メカベースの上記枢着部の少なくとも一方の遊嵌された上記枢着部を一方向に偏倚する偏倚手段とを具備して成ることを特徴とする。
【００１１】
本願の請求項２記載の発明は、請求項１記載の光ディスク再生装置において、前記偏倚手段は、前記メカベースと前記トラーバースホルダー間に該トラバースホルダーの前記枢着部を構成する軸又は軸受を一方向に押圧する弾性部材であることを特徴とする。
【００１２】
本願の請求項３記載の発明は、光ディスクを再生駆動する駆動部を有するトラバースメカ部を載置したトラバースホルダーと、上記トラバースホルダーの一端が枢着部に回動自在に嵌着されたメカベースと、上記トラバースホルダーを上記枢着部を基に回動させるために該トラバースホルダーの前方に配置したトラバースホルダー駆動手段と、光ディスクを載置させ上記トラバースメカ部上に移動自在としたローダとを備え、上記ローダを介して、上記光ディスクを上記トラバースメカ部上に移動させ、上記トラバースホルダー駆動手段により上記トラバースホルダーを上記枢着部を中心に上動させて上記光ディスクの再生時のみ該枢着部を構成する軸と軸受間に隙間を生じない構成としたことを特徴とする。
【００１３】
本願の請求項４記載の発明は、請求項３記載の光ディスク再生装置において、前記枢着部を構成する前記トラバースホルダー或は前記メカベースに配設する前記軸を断面が楕円又は長方形状に成したことを特徴とする。
【００１４】
斯かる、請求項１及び請求項２記載の本発明の光ディスク再生装置に依れば、偏倚手段として、スプリング等の弾性部材を用いてトラバースホルダーの軸をメカベースの軸受の１側に押圧させる様にしたので回転駆動時に振動を発生する光ディスクを再生してもトラバースホルダーが振動することなく、光ピックアップも揺動せず、衝突音を発生することの無いものが得られる。
【００１５】
また、請求項３及び請求項４記載の光ディスク再生装置に依れば、トラバースホルダーと一体化されているトラバースメカ部上のターンテーブルによって再生される光ディスクが再生状態にある場合のみトラバースホルダーに架設した軸とメカベースに枢着した軸受間に隙間を生じない様に軸の断面を楕円或は長方形状としたので光ディスク再生不能を防止することが出来る。
【００１６】
【発明の実施の形態】
以下、本発明の実施の形態例を図１乃至図８によって詳記する。図１及び図２は、本発明の光ディスクの再生装置の一実施態様を示すものであるが、図３乃至図７を用いて、本発明に用いる光ディスク再生装置の全体的構成及び動作を先に説明する。
【００１７】
図３（Ａ）（Ｂ）は本発明の光ディスク再生装置の平面図及び側面図であり、図４（Ａ）〜（Ｃ）はトラバースホルダー駆動手段の動作説明図である。
【００１８】
図３（Ａ）（Ｂ）及び図４（Ａ）〜（Ｃ）に於いて、従来の図９との対応部分には同一符号を付して説明する。
【００１９】
図３（Ａ）（Ｂ）に於いて、光ディスク再生装置を構成する筐体１３内にはシャーシ等から成るメカベース１が固定され、このメカベース１の左右後方に切起しを立設し、枢着部２の支軸となる軸受８を配設する。
【００２０】
一方、略長方形状に枠部材等で構成したトラバースホルダー３には、トラバーサルメカ部７が載置される。このトラバースメカ部７には、光ディスク４を回転するためのターンテーブル６、このターンテーブル６を駆動する駆動モータ１０、光ディスク４のデータを読み取り、再生信号を出力する光ピックアップ１１等が配設されている。
【００２１】
また、トラバースホルダー３の後方には、枢着部２を構成する軸９を左右支持枠に固定して、メカベース１の軸受８に遊嵌させる。即ち、トラバースホルダー３をメカベース１に対して回動自在と成すと共に軸９と軸受８間は所定の隙間を設けた状態での嵌合せとされている。
【００２２】
ローディング機構を構成するために、従来の構成と同様に光ディスク４をトレー上に載置したローダ５をトラバースメカ部７上に移動させ、光ディスク４をターンテーブル６に挿着して、クランバー１２を降下させて、光ディスク４をクランプし、再生状態にしている。
【００２３】
トラバースホルダー３の前方には、トラバースホルダー駆動手段を構成するスライドカム部１４が配設されている。スライドカム部１４は図３（Ｂ）に示す様に、断面が逆Ｌ字状と成された水平部１４Ｈと垂直部１４Ｖとで構成される。
【００２４】
スライドカム部１４の水平部１４Ｈは、図３（Ａ）に示す様に略長方形状と成されてその中央に穿った中空部の長手方向にスライドカム１６が形成され、このスライドカム１６に噛み合うローディングギヤ１５が配設されている。また水平部１４Ｈの垂直部１４Ｖ側の左右端にはローダ５の底面に形成した後述するガイド溝１８Ｌ、１８Ｒに係合する２本のピン１９Ｌ、１９Ｒが立設されている。
【００２５】
スライドカム部１４の垂直部１４Ｖには、図４（Ａ）乃至図４（Ｃ）に示す様な上下に離間した水平溝の終始端間を傾斜した溝で結ぶ様に形成した溝２０を形成し、この溝２０内にトラバースホルダー３の前側板に立設したボス２１を挿入する様に成されている。
【００２６】
ローダ５は、合成樹脂等で略長方形状の皿型に形成され、その略中央に形成した短形孔内を光ピックアップ１１が長手方向に移動可能と成され、該短形孔の前面側に挿入されるターンテーブル６の中心部を中心に種類の異なる直径を有する光ディスク挿着用の段部がローダ５の上面に形成されている。
【００２７】
長方形状のローダ５の底面左側には、その長手方向に沿って図３（Ａ）に示す様にラックギヤ１７が形成され、このラックギヤ１７に沿ってガイド溝１８Ｌが形成されている。
【００２８】
このガイド溝１８Ｌと並設してローダ５の右側にもガイド溝１８Ｒが形成されている。これらのガイド溝１８Ｌ及び１８Ｒは、ローダ５がトラバースメカ部７上に完全に挿入された時点でスライドカム部１４の垂直部１４Ｖと対向する位置で左右側に略直交するようにＬ字状に形成されている。
【００２９】
更に、本発明の要部である偏倚手段２３は、筐体１３と一体化されたメカベース１とトラバースホルダー３間に介在されている。この偏倚手段２３は、トラバースホルダー３の軸９の一側をメカベース１の軸受８の一側に押圧させるためにコイルスプリング等で構成した弾性部材によって、遊嵌状態の軸９を軸受８へ１方向に偏倚させて、トラバースホルダー３の回動時にガタ付がない様にしている。
【００３０】
次に上述の様に、トラバースホルダー３を枢着部２を中心に回動させるためのトラバースホルダ駆動手段を構成するスライドカム部１４の動作を図４（Ａ）乃至図４（Ｃ）によって説明する。
【００３１】
図４（Ａ）乃至図４（Ｃ）は図３（Ａ）、（Ｂ）の前方向、即ち図３（Ａ）のＡ矢視方向からスライドカム部１４の垂直部１４Ｖとトラバースホルダー３の前面側を視た前面図であって、スライドカム部１４の垂直部１４Ｖに設けた平行部と傾斜部から成る溝２０内にトラバースホルダー３の前面に植立したボス２１が挿通されている。
【００３２】
スライドカム部１４の上面に立設されたピン１９Ｌ及び１９Ｒは、ローダ５の底面に形成したＬ字状のガイド溝１８Ｌ及び１８Ｒに係合し、ローダ５が光ディスク再生装置の筐体１３内から完全に引き出された状態ではガイド溝１８Ｌ及び１８Ｒの最後部位置（図５（Ａ）参照）にあり、完全に筐体１３内にローダ５が挿入された状態ではＬ字状に曲げられたガイド溝１８Ｌ及び１８Ｒの前方左端部に（図３（Ａ）参照）持ち来たされる。
【００３３】
図３（Ａ）の様にローダ５がトラバースホルダー３のトラバースメカ部７上に完全に持ち来たされた場合、トラバースホルダー駆動手段を構成するスライドカム部１４のスライドカム１６はローディングギア１５と噛み合う様に成されている。
【００３４】
従って、ローディングギア１５が所定方向に回転駆動されるとスライドカム１６との噛み合いによって、図５（Ａ）に示す矢印Ｂの方向にスライドカム部１４が移動し、図４（Ａ）の様に下側の水平溝位置に挿入されていたトラバースホルダー３に立設されたボス２１は水平方向に移動した後に傾斜部の始めの位置では矢印Ｃに示す様に上側に向く力によって、図４（Ｂ）の様に溝２０の傾斜部に沿って上動するため下位置にあったトラバースホルダー３は上動し、最終的には図３（Ｃ）に示す様に上側の水平な溝２０内に挿入されたボス２１によってトラバースホルダー３を最上部位置に保持する。
【００３５】
従って、トラバースホルダー３は、枢着部２を回転中心として、トラバースホルダー駆動手段であるスライドカム部１４によって枢着部２の反対側を駆動源として上下動して枢着部２を中心に回動することになる。
【００３６】
次に、図５（Ａ）（Ｂ）乃至図７（Ａ）（Ｂ）（Ｃ）（Ｄ）に依って、光ディスク４のチャッキング時のトラバースホルダー３の動作を説明する。図５（Ａ）（Ｂ）はローダ５が筐体１３の前方に完全に引き出された状態を示す平面図及び側面図、図６（Ａ）（Ｂ）（Ｃ）（Ｄ）及び図７（Ａ）（Ｂ）（Ｃ）（Ｄ）はトラバースホルダー３の回転動作過程を説明するための平面図及び側面図である。
【００３７】
図５（Ａ）（Ｂ）では、ローダ５は、筐体１３内のトラバースメカ部７上から前方に完全に引き出された状態を示し、この状態で、ローディングギア１５を時計方向に回転駆動させると、ローダ５の底板裏面に形成されているラックギヤ１７と噛み合ったローディングギア１５の回転によりローダ５を矢印Ａで示す方向に引き込み始める。この際、スライドカム部１４上に植立した２本のピン１９Ｌ、及び１９Ｒはローダ５のガイド溝１８Ｌ及び１８Ｒに沿ってガイドされる。
【００３８】
上述の状態では、図５（Ａ）に示す様に、メカベース１の軸受８に軸支されたトラバーサルホルダー３は枢着部２を中心に反時計方向回動位置にあってトラバーサルメカ部７に配設したターンテーブル６はローダ５が挿入された際に接触しない位置迄、後退した位置に配設されている。
【００３９】
図６（Ａ）（Ｂ）では、ローダ５がトラバースメカ部７内に一定量引き込まれた状態であり、ローダ５に形成したガイド溝１８Ｌ及び１８Ｒはこの位置からローダ５の短辺に沿う様に略直交する様に曲げられていて、スライドカム部１４上のピン１９Ｌ及び１９Ｒがガイド溝１８Ｌ及び１８Ｒの曲り角近傍に持ち来たされた状態を示している。
【００４０】
図６（Ｃ）（Ｄ）では、ローダ５をトラバースメカ部７上に完全に引き込んだ状態を示すものであり、スライドカム部１４上の２本のピン１９Ｌ及び１９Ｒはローダ５の短辺に沿うガイド溝１８Ｌ及び１８Ｒ内に挿入される。この時、スライドカム部１４のローディングギア１５はラックギヤ１７との噛合せが終了し、スライドカム部１４のスライドカム１６との噛み合わせを開始して、スライドガイド部１４を矢印Ｂ方向に移動させる開始状態となり、トラバースホルダー３に立設したボス２１は図４（Ａ）の位置にある。
【００４１】
図７（Ａ）（Ｂ）は、ピン１９Ｌ及び１９Ｒがローダ５の短辺方向に沿うガイド溝１８Ｌ及び１８Ｒ内に挿入された状態で、トラバースホルダー３が一定量持ち上がった状態を示すもので、スライドギヤ部１４のスライドカム１６と噛み合っているローディングギア１５は更にトラバースホルダー３を矢印Ｂ方向に移動させる。この時のボス２１は図４（Ｂ）に示す様に溝２０の傾斜部をＣ方向に上動している。この時、トラバースホルダー３は枢着部２を中心にトラバースメカ部７を時計方向に回動させる。
【００４２】
図７（Ｃ）（Ｄ）は、光ディスク４がターンテーブル６上にチャッキングされた状態を示している。この時、スライドカム１６とローディングギア１５の係合駆動により、ピン１９Ｌ及び１９Ｒはローダ５の短辺方向に沿うガイド溝１８Ｌ及び１８Ｒの最終端に移動する。この時、トラバースホルダー３は枢着部２を中心にチャッキング位置迄回動しているので、この時点で光ディスク４のチャッキングが終了する。
【００４３】
図１（Ａ）（Ｂ）は、図３（Ａ）（Ｂ）で説明した本発明の要部を機能的に示した光ディスク再生装置の筒略的側面図及びその動作説明図である。
【００４４】
図１（Ａ）（Ｂ）に於いて、図９（Ａ）との対応部分には同一符号を付して重複説明を省略する。図１（Ａ）でトラバースホルダー３の前部に立設したボス２１は前記した様にスライドカム部１５に設けた溝２０に沿って、トラバースホルダー３を枢着部２を支点として時計方向に（上方向）に回動させる。
【００４５】
枢着部２はメカベース１に設けた軸受８に対し、トラバースホルダー３に設けた軸９を遊嵌させている。従って、図１（Ａ）のＡ部拡大図である図１（Ｂ）に示す様に、軸受８の内径と軸９の外径との間には空隙Ｇを有している。
【００４６】
本発明では、トラバースホルダー３とメカベース１との間に偏倚手段２３として圧縮用コイルスプリングを介在させているのでトラバースホルダー３と一体化された軸９の外径の一端は軸受８の内径の一端に当接された図１（Ｂ）の矢印Ｃ方向に押圧した状態でトラバースホルダー３を枢着部２を中心に回転させている。
【００４７】
上述の圧縮コイルスプリング２３の取付位置は、トラバースホルダー３の軸９の近傍とすることが好ましい。即ち、トラバースホルダー３を枢着部２を中心に回動させるためのトラバースホルダー駆動手段たるスライドカム部１４は枢着部２に対して前方にあり、トラバースホルダー３の回転駆動のための作用点に対してトラバースホルダー３の回転支点となる枢着部２は離間された位置に置かれているので、圧縮コイルスプリングが矢印Ｃ方向に付与する押圧力はトラバースホルダー駆動手段の作用力に影響を与えない構成とすることが出来る。
【００４８】
従って、図１（Ａ）に示す様にトラバースメカ部７上のターンテーブル６上に偏芯した光ディスク４を載置して再生状態としても、トラバースホルダー３のＥ−Ｅ′方向に生ずる振動を抑えることが出来ると共にトラバースホルダー３をスムーズに枢着部２を中心に回動させることが出来る。
【００４９】
図２（Ａ）（Ｂ）（Ｃ）は、本発明の光ディスク再生装置の他の実施形態を示すもので、図１（Ａ）（Ｂ）と同様の筒略図であり、図１（Ａ）（Ｂ）との対応部分には同一符号を付して、重複説明を省略する。
【００５０】
図２（Ａ）〜図２（Ｃ）に於ける、本発明の光ディスク再生装置は図２（Ａ）に示す様に、トラバースホルダー３に固定した軸９は図１（Ａ）の様に眞円の断面を有すものではなく、且つメカベース１との間に偏倚手段２３を介在させることなく、軸９の断面を図２（Ｂ）に示す様に楕円或は菱形の如き長方形状となし、この楕円或は菱形の長軸（長径）２４ａ或は長い対角線２４ｂの長さをトラバースホルダー３の振動方向Ｅ−Ｅ′と同一方向にすると共に、光ディスク４をターンテーブル６上にチャッキングする時にはメカベース１に固定した軸受８の内径に長軸２４ａ或は長い対角線２４ｂが接する様に成される。従って、偏芯した光ディスク４の再生時に於いてもトラバースホルダー３が振動することなく衝突音の発生を防止可能となる。
【００５１】
一方、トラバースホルダー３を枢着部２を中心に図２（Ｃ）の如く、例えば、矢印Ｄ方向に回動させる場合には軸９の長軸２４ａ或は長い対角線２４ｂの一端と軸受８の内径の一端との間に空隙Ｇを生ずるために、軸９は軸受８の内径内で容易に回転することが出来る。
【００５２】
上述した図１（Ａ）（Ｂ）及び図２（Ａ）（Ｂ）（Ｃ）で詳記した構成では、トラバースホルダー３に軸９を枢着し、メカベース１に軸受８を形成した場合を説明したが、メカベース１側に軸９を枢着し、トラバースホルダー３側に軸受を設ける様にしてもよい。
【００５３】
更に偏倚手段２３として圧縮型のコイルスプリングを用いた側を説明したが、弾性部材としては、図８に示す様な構成とすることも出来る。
【００５４】
図８（Ａ）（Ｂ）（Ｃ）は、偏倚手段２３の弾性部材としてリーフスプリングを所定形状に成形したもので図８（Ａ）は略皿型に、図８（Ｂ）は略山型に、図８（Ｃ）は片持ち形状としたもので図８（Ａ）（Ｃ）はメカベース１の軸受８とトラバースホルダー３に枢着した軸９間の枢着部２の軸９に偏倚手段２３を介在させ、軸９を押圧した場合であり、図８（Ｂ）はメカベース１の軸９とトラバースホルダー３の軸受８間の枢着部２の軸受８を押圧させた場合である。
【００５５】
図８（Ｄ）は、軸受８を軸方向に二分割し、チャッキング或は再生時は分割した軸受半体８ａ及び８ｂを一体化させる様なプッシュプル手段２５を介して軸受半体８ｂを固定された軸受半体８ａ側に矢印Ｆ方向に押圧させて軸９を軸受半体８ａ及び８ｂ間で隙間Ｇがない様に成す。
【００５６】
一方、枢着部２を中心にトラバースホルダー３を回動させる場合にはプッシュプル手段２５を矢印Ｆ’方向に引っ張って所定の隙間Ｇを軸受半体８ａ及び８ｂ間に形成する様に成したものである。
【００５７】
上述のいずれの構造においてもトラバースホルダー３の軸９（軸受８）とメカベース１の軸受８（軸９）はトラバースホルダー３が上昇位置（チャッキング状態）において互いに密着しており、この状態ではトラバースホルダー３とメカベース１とは密着している。よって、振動を発生する光ディスク４を回転させて再生した場合でもトラバースホルダー３が振動方向Ｅ−Ｅ’に変位しないため、従来の光ディスク再生装置で問題であった光ピックアップ１１への振動の伝達によって再生信号の読取不能やトラバースホルダー３の軸９（軸受８）とメカベース１の軸受８（軸９）間で生ずる連続した衝突音の発生を無くすことが出来る。
【００５８】
【発明の効果】
従来の光ディスク再生装置によれば、トラバースホルダーとメカベース間に形成された枢着部の軸及び軸受間に隙間を生じさせないとトラバースホルダーがスムーズに回動しないため、隙間を生じさせると振動を発生する光ディスクを再生させた場合トラバースホルダー自体が振動するため、光ピックアップへの振動によって再生信号の読み取り不能や枢着部の軸と軸受間での連続した衝突音を発生する課題があったが、本発明の光ディスク再生装置によれば、光ディスク再生時にトラバースホルダーとメカベースを偏倚手段等で密着させ、トラバースメカホルダーの振動方向の変位を無くしたので、振動を抑えることが可能で且つ光ディスクからの再生信号の読み取り可能なものが得られる。また、チャッキング時のみ再生可能な様に軸と軸受間を隙間が無い様にし、トラバースホルダーを回動（上動）させる時には隙間を発生させる様にしたので、光ディスクからの再生信号の読み取りが可能でトラバースホルダーの回転をスムーズに行うことの出来る光ディスク再生装置を得ることが出来る。
【図面の簡単な説明】
【図１】本発明の光ディスク再生装置の一実施例を示す略線的側面図及び　　　枢着部近傍の動作説明図である。
【図２】本発明の光ディスク再生装置の他の実施例を示す略線的側面図及び枢着部の動作説明図である。
【図３】本発明の光ディスク再生装置のメカ部の全体的構成を示す平面図及び側面図である。
【図４】本発明の光ディスク再生装置に用いるスライドカム部の動作説明図である。
【図５】本発明の光ディスク再生装置のチャッキング時の動作説明のための平面図及び側面図である。
【図６】本発明の光ディスク再生装置のチャッキング時の動作説明のための平面図及び側面図である。
【図７】本発明の光ディスク再生装置のチャッキング時の動作説明のための平面図及び側面図である。
【図８】本発明の光ディスク再生装置の更に他の実施形態例を示す枢着部の動作説明図である。
【図９】従来の光ディスク再生装置の略線的平面図及び側面図である。
【符号の説明】
１‥‥メカベース、２‥‥枢着部、３‥‥トラバースホルダー、４‥‥光ディスク、５‥‥ローダ、６‥‥ターンテーブル、７‥‥トラバースメカ部、８‥‥軸受、９‥‥軸、１１‥‥光ピックアップ、１４‥‥スライドカム、１５‥‥ローディングギア、２０‥‥溝、２１‥‥ボス、２３‥‥偏倚手段
【図１】
2004118979.tif 000003
【図２】
2004118979.tif 000004
【図３】
2004118979.tif 000005
【図４】
2004118979.tif 000006
【図５】
2004118979.tif 000007
【図６】
2004118979.tif 000008
【図７】
2004118979.tif 000009
【図８】
2004118979.tif 000010
【図９】
2004118979.tif 000011